(57)【要約】【課題】複数本のワイヤハーネスをシフトレバーに沿って配索できるとともに、見栄えが良いシフトレバー装置を提供する。【解決手段】車体に固定されるハウジング２に設けられ、回転軸３を中心にして揺動支持されるシフトレバー４と、このシフトレバー４の先端に装着され、電気部品１１を内蔵するノブ部材５と、電気部品１１からシフトレバー４に沿ってハウジング２の方向に延びる複数本のワイヤハーネス１２と、シフトレバー４が挿通される筒体１３とを有し、シフトレバー４の外周に、ワイヤハーネス１２を収容する複数の溝部４ｄを設けた。【選択図】図１
2010201966.tif 000002
【特許請求の範囲】
【請求項１】
車体に固定されるハウジングに、回転軸を介して揺動支持されるシフトレバーと、
このシフトレバーの先端に装着され、電気部品が内蔵されるノブ部材と、
前記シフトレバーが挿通される筒体と、
前記シフトレバー及び前記筒体の間に、前記電気部品から延設されるワイヤーハーネスが配索されるシフトレバー装置において、
前記ワイヤハーネスを構成する電線が各電線毎に収容される複数の溝部を前記シフトレバー及び前記筒体の間にシフトレバーの長手方向に沿って形成したことを特徴とするシフトレバー装置。
【請求項２】
請求項１記載のシフトレバー装置であって、
前記複数の溝部が前記シフトレバーの外周に形成されたことを特徴とするシフトレバー装置。
【請求項３】
請求項１記載のシフトレバー装置であって、
前記複数の溝部が前記筒体の内周に形成されたことを特徴とするシフトレバー装置。
【発明の詳細な説明】
【技術分野】
【０００１】
本発明は、車両に設けられるシフトレバー装置に係り、シフトレバー先端のノブ部材に電気部品が内蔵されるシフトレバー装置に関する。
【背景技術】
【０００２】
この種の従来のシフトレバー装置としては、車両に設けられるシフトレバー先端のノブ部材に、インジケータ、照明灯、センサ及びスイッチなどの電気部品を内蔵し、該電気部品からシフトレバーに沿ってハウジングの方向に複数本のワイヤハーネスを配索したものがあり、その従来例として特許文献１に開示されたものがある。また、この種の従来技術に関連するものとして、ワイヤハーネスの代わりに、光ファイバをシフトレバーに沿って配索したものがあり、その従来例として特許文献２に開示されたものがある。
【０００３】
特許文献１に開示されたシフトレバー装置１００は、図８に示すように、車体に固定されるハウジング１０１に設けられ、図示しない回転軸を中心にして揺動支持されるシフトレバー１０２と、このシフトレバー１０２の先端に装着され、電気部品１０３を内蔵するノブ部材１０４と、シフトレバー１０２の外周面に沿って配索され、電気部品１０３からハウジング１０１の方向に延びるワイヤハーネス１０５とを備えている。
【０００４】
特許文献２に開示されたシフトレバー装置１１０は、図９に示すように、図示しない回転軸を中心にして揺動支持されるシフトレバー１１１と、このシフトレバー１１１の先端に装着され、光誘導体１１２を内蔵するノブ部材１１３と、シフトレバー１１１の内部に配索され、光誘導体１１２から図示しないハウジングの方向に延びる光ファイバ１１４とを備えている
【先行技術文献】
【特許文献】
【０００５】
【特許文献１】特表２００７−５０８９８２号公報
【特許文献２】特開２００５−９６７４３号公報
【発明の概要】
【発明が解決しようとする課題】
【０００６】
しかしながら、前記特許文献１に記載されているものでは、ワイヤハーネス１０５がテープやクリップでまとめられてシフトレバー１０２の外周に沿って配索されており、ワイヤハーネス１０５が多数本の場合には、見栄えが良くないという問題がある。
【０００７】
また、前記特許文献２に記載されているものでは、光ファイバ１１４がシフトレバー１１１の内部に配索されており、光ファイバ１１４が車室内で露出しないため見栄えは良いが、シフトレバー１１１の内径が限られているため、多数本の光ファイバやワイヤハーネスをシフトレバー１１１の内部に配索することができず、したがって、多数本の光ファイバやワイヤハーネスをシフトレバーに沿って配索する場合には適用できないという問題がある。
【０００８】
そこで、本発明は、前記した課題を解決すべくなされたものであり、複数本のワイヤハーネスをシフトレバーに沿って配索できるとともに、見栄えが良いシフトレバー装置を提供することを目的とする。
【課題を解決するための手段】
【０００９】
請求項１の発明は、車体に固定されるハウジングに、回転軸を介して揺動支持されるシフトレバーと、このシフトレバーの先端に装着され、電気部品が内蔵されるノブ部材と、前記シフトレバーが挿通される筒体と、前記シフトレバー及び前記筒体の間に、前記電気部品から延設されるワイヤーハーネスが配索されるシフトレバー装置において、前記ワイヤハーネスを構成する電線が各電線毎に収容される複数の溝部を前記シフトレバー及び前記筒体の間にシフトレバーの長手方向に沿って形成したことを特徴とする。
【００１０】
請求項２の発明は、請求項１記載のシフトレバー装置であって、前記複数の溝部が前記シフトレバーの外周に形成されたことを特徴とする。
【００１１】
請求項３の発明は、請求項１記載のシフトレバー装置であって、前記複数の溝部が前記筒体の内周に形成されたことを特徴とする。
【発明の効果】
【００１２】
請求項１の発明によれば、シフトレバー及び筒体の間に設けられた複数の溝部に複数本のワイヤハーネスが各電線毎に収容されるために、複数本のワイヤハーネスをシフトレバーに沿って配索できるとともに、シフトレバーと筒体の間の空間を小さくして見栄えが良いシフトレバー装置を提供することができる。
【００１３】
請求項２の発明によれば、シフトレバーの外周に形成した複数の溝部に複数本のワイヤハーネスを収容するとともに、該ワイヤハーネスの周囲を覆うようにシフトレバーを筒体に挿通することによって、上記複数本のワイヤハーネスをシフトレバーに沿って配索することができる。
【００１４】
請求項３の発明によれば、シフトレバーを筒体に挿通するとともに、筒体の内周に形成した複数の溝部に複数本のワイヤハーネスを収容することにより、上記複数本のワイヤハーネスをシフトレバーに沿って配索することができる。
【図面の簡単な説明】
【００１５】
【図１】本発明の第１実施形態を示し、シフトレバー装置を示す断面図である。
【図２】本発明の第１実施形態を示し、シフトレバーを示す断面図である。
【図３】本発明の第１実施形態を示し、シフトレバー装置の分解斜視図である。
【図４】本発明の第１実施形態を示し、図２のIV‐IV線に沿う断面図である。
【図５】本発明の第１実施形態を示し、ノブ部材に設けられる電気部品の表示部の変形例を示す図である。
【図６】本発明の第２実施形態を示し、シフトレバー装置の要部を示す分解斜視図である。
【図７】本発明の第３実施形態を示し、シフトレバー装置の要部を示す分解斜視図である。
【図８】従来のシフトレバー装置を示す斜視図である。
【図９】従来の他のシフトレバー装置を示す断面図である。
【発明を実施するための形態】
【００１６】
以下、本発明の実施形態を図面に基づいて説明する。図１〜図５は本発明の第１実施形態を示し、図１はシフトレバー装置を示す断面図、図２はシフトレバーを示す断面図、図３はシフトレバー装置の分解斜視図、図４は図２のIV‐IV線に沿う断面図、図５はノブ部材に設けられる電気部品の表示部の変形例を示す図である。
【００１７】
本実施形態のシフトレバー装置１は、図示しない車体に固定されるハウジング２と、このハウジング２に車両の前後方向であるシフト方向へ軸受部９を介して回転可能に支持される回転軸３と、回転軸３に直交して車両の左右方向であるセレクト方向へ回転軸３１を介して揺動支持されるシフトレバー４と、このシフトレバー４の先端に装着されるノブ部材５と、ハウジング２に設けられ、シフトレバー４の揺動方向の位置を規制するポジションプレート６と、シフトレバー４の下端に設けられるディテント突部７をポジションプレート６の方向に付勢する巻ばね８と、ハウジング２に設けられ、回転軸３の軸受部９を支承する一対の軸受部材１０とを備えている。
【００１８】
シフトレバー４は、回転軸３１の軸心を中心としてセレクト方向（図１の左右方向）に揺動可能であるとともに、軸受部９の軸心を中心としてシフト方向に揺動可能である。このようにシフトレバー４の揺動操作を行うことにより、シフトレバー４がハウジング２の上面に形成したスライド孔２ａ内を移動して図示しない各位置で対応するポジション情報をトランスミッションに伝達するように構成されている。
【００１９】
ノブ部材５は、電気部品としてのＬＥＤ照明ユニット１１を内蔵しており、このＬＥＤ照明ユニット１１からシフトレバー４に沿ってハウジング２の方向に延びる複数本、例えば１０本のワイヤハーネス１２が配索されるとともに、シフトレバー４は、化粧用カラーとしての筒体１３に挿通されている。なお、複数本のワイヤーハーネス１２の下端は、図示しないハーネスソケットに差込まれてまとめられる。
【００２０】
また、ノブ部材５は、シフトレバー４の先端にネジ５ａで固定され、ＬＥＤ照明ユニット１１を支持する骨格部５ｂと、この骨格部５ｂの外周を覆う外周造形部５ｃとから構成されている。これらの骨格部５ｂ及び外周造形部５ｃの先端にてＬＥＤ照明ユニット１１の表示面（インジケータ）１１ａが露出し、外周造形部５ｃから側方にオーバードライブのＯＮ・ＯＦＦスイッチ１１ｂが突出している。ＬＥＤ照明ユニット１１の表示面１１ａには、シフトレバー４のレンジ位置がＨ形状に配置されており、例えば、表示面１１ａの右側上部にＤレンジ位置、右側中間部にＮレンジ位置、及び右側下部にＲレンジ位置がそれぞれ表示され、左側上部に＋、左側中間部にＨレンジ位置、及び左側下部に−がそれぞれ表示されている。
【００２１】
シフトレバー４の基部４ａの上部には、円周方向で凹凸をなすように外径方向に突出する複数の台形部４ｂが長手方向に沿って一体に樹脂をモールドして形成されるとともに、先端には軸方向へ突出する小径部４ｃとが一体に設けられている。上記複数の台形部４ｂは、それぞれシフトレバー４の軸方向に延設されるとともに、円周方向に等間隔をおいて例えば１２個配設されている。これによって、隣り合う台形部４ｂ間に、複数本のワイヤハーネス１２を収容する１２本の溝部４ｄが形成されている。また、上記小径部４ｃには、前記ネジ５ａが螺合するネジ穴が形成されている。
【００２２】
この第１実施形態にあっては、当該シフトレバー装置１を組立てる際、複数本のワイヤハーネス１２を筒体１３に挿通した後、各ワイヤハーネス１２をシフトレバー４外周の溝部４ｄに１本ずつ収容するようにして、シフトレバー４を筒体１３に挿通して、筒体１３によりワイヤハーネス１２の周囲を覆う。そして、筒体１３をノブ部材５に軽圧入やネジ止め等により取付けるとともに、ノブ部材５をネジ５ａによりシフトレバー４の上部に取付ける。このようにして当該シフトレバー装置１を組立てた状態では、ワイヤハーネス１２がノブ部材５の外周造形部５ｃと筒体１３とハウジング２とにより覆われているので、ワイヤハーネス１２が車室内で露出しない状態でシフトレバー４に沿って配索されている。
【００２３】
以上、説明したように、本発明によれば、複数本のワイヤハーネス１２をシフトレバー４に沿って配索できるとともに、シフトレバー４と筒体１３の間の空間（隙間）を小さくして見栄えが良いシフトレバー装置１を提供することができる。
【００２４】
また、本発明によれば、シフトレバー４の外周の溝部４ｄが円周方向に等間隔をおいて配設されるとともに、溝部４ｄにワイヤハーネス１２が１本ずつ収納されるので、ワイヤハーネス１２を他のワイヤハーネス１２や他の部品から離隔することができ、シフトレバー４の移動によってワイヤハーネス１２が引張られたり擦れて断線することを防止できる。
【００２５】
以上、本発明の好適な実施形態について説明したが、本発明は上記実施形態には限定されず、種々の変形が可能である。
【００２６】
例えば、上記第１実施形態では、ＬＥＤ照明ユニット１１の表示面１１ａにシフトレバー４のレンジ位置をＨ形状に配置した場合を例示したが、図５に示すように、Ｐレンジ表示部２０及びパーキングスイッチ２１と、Ｒレンジ表示部２２と、Ｎレンジ表示部２３と、Ｄレンジ表示部２４とを配置することもできる。
【００２７】
図６は本発明の第２実施形態を示し、シフトレバー装置の要部を示す分解斜視図である。なお、図６において前述した図１〜図５に示すものと同様のものには同一符号を付してある。
【００２８】
本実施形態に設けられるシフトレバー４は、基部４ａの上端に連結されて軸方向に延びる延長部材４ｅを有し、この延長部材４ｅの外周に、複数本のワイヤハーネス１２を収容する複数本の溝部４ｆが形成されるとともに、この延長部材４ｅの上端にノブ部材５を固定するネジ穴を有する小径部４ｃが形成されている。
【００２９】
この第２実施形態にあっても、シフトレバー４の延長部材４ｅの外周に形成した複数の溝部４ｆに複数本のワイヤハーネス１２を１本ずつ収容するとともに、ワイヤハーネス１２の周囲を覆うように筒体１３にシフトレバー４を挿通することによって、シフトレバー４と筒体１３の間にワイヤハーネス１２が車室内で露出しない状態でシフトレバー４に沿って配索されている。
【００３０】
この第２実施形態によれば、前述した第１実施形態と同様の効果が得られる。
【００３１】
図７は本発明の第３実施形態を示し、シフトレバー装置の要部を示す分解斜視図である。なお、図７において前述した図１〜図５に示すものと同様のものには同一符号を付してある。
【００３２】
本実施形態に設けられるシフトレバー４は、筒体１３の内周に、複数本のワイヤハーネス１２を収容する複数本の溝部１３ａが形成されている。
【００３３】
この第３実施形態にあっても、シフトレバー４を筒体１３に挿通するとともに、筒体１３の内周に形成した複数本の溝部１３ａに複数本のワイヤハーネス１２を１本ずつ収容することによって、シフトレバー４と筒体１３の間にワイヤハーネス１２が車室内で露出しない状態でシフトレバー４に沿って配索されている。
【００３４】
この第３実施形態によれば、前述した第１実施形態と同様の効果が得られる。
【符号の説明】
【００３５】
１  シフトレバー装置
２  ハウジング
３  回転軸
４  シフトレバー
４ｄ  溝部
５  ノブ部材
１１  ＬＥＤ照明ユニット（電気部品）
１２  ワイヤハーネス
１３  筒体
１３ａ  溝部
【図１】
2010201966.tif 000003
【図２】
2010201966.tif 000004
【図３】
2010201966.tif 000005
【図４】
2010201966.tif 000006
【図５】
2010201966.tif 000007
【図６】
2010201966.tif 000008
【図７】
2010201966.tif 000009
【図８】
2010201966.tif 000010
【図９】
2010201966.tif 000011